(57)【要約】【課題】地盤の不安定な場所や法面などで足場の建枠を構築する場合には、単管パイプを水平および垂直方向に配置し、レンチを用いてクランプにより締結して結合していたため、組立や解体の作業効率が悪かった。【解決手段】立設された複数の支柱５どうし連結するものとしてユニット化した枠状体１３を用いる。枠状体１３には差込み式の連結具２１が取り付けられており、支柱５に設けられた差込口７に上側から差込むことで連結できる。また、連結具にはロック手段も設けられており、上方への抜けが防止される。従って、建枠の組立及び解体を容易に行うことができる。【選択図】        図２
2009299307.tif 000002
【特許請求の範囲】
【請求項１】
立設された複数の支柱と、前記支柱間に配設される枠状体と、前記支柱に前記枠状体を連結させる連結手段とで構築される建枠と、前記建枠により支持される作業床とを備えることを特徴とするユニット式足場。
【請求項２】
請求項１に記載したユニット式足場において、
連結手段は、支柱の外周に設けられた差込口と、前記枠状体に設けられた差込体によって構成されており、前記差込体が前記差込口に上側から差し込まれて前記枠状体と前記支柱とが連結されることを特徴とするユニット式足場。
【請求項３】
請求項２に記載したユニット式足場において、
差込口に差込まれた差込体が上方に抜けるのを防止するロック手段が設けられていることを特徴とするユニット式足場。
【請求項４】
請求項３に記載したユニット式足場において、
ロック手段は、差込まれた差込体から側方に突出して差込口に下側から当接する当接部材と、前記当接部材を前記差込体の側方から突出させたり没入させたりする当接部材駆動手段を有することを特徴とするユニット式足場。
【請求項５】
請求項４に記載したユニット式足場において、
当接部材駆動手段は、差込体に形成され、横断方向に延びたスライド移動路と、当接部材を支持しながら前記スライド移動路に係合されるスライドピンと、前記当接部材側に取り付けられ、前記当接部材を介して前記スライドピンを前記スライド移動路に沿ってスライド移動させる操作部材を有し、前記操作部材によるスライド移動により前記スライドピンが差込口側端部に到達すると、前記当接部材が自重により回動して突出し、差込口に当接して係止されることを特徴とするユニット式足場。
【請求項６】
請求項５に記載したユニット式足場において、
スライド移動路は、差込口側に向かって上方に傾斜しながら延びた傾斜横路と、前記傾斜路の差込口側端部から下方に延びた縦路によって構成され、差込体が差込まれる時は、スライドピンが前記傾斜横路の奥に位置し、当接部材は差込口に摺接しながら回動して没入し、差し込まれた後は、前記スライドピンが前記縦路の下端に位置し、前記当接部材は自重により回転して突出することを特徴とするユニット式足場。
【請求項７】
請求項３から６のいずれかに記載したユニット式足場を構成する連結手段のうち、枠状体に設けられる差込体とロック手段とで構成される枠状体側連結具。
【請求項８】
請求項１から６のいずれかに記載したユニット式足場において、大引受が支柱に対して角度調整可能に支持されており、大引が前記大引受に嵌込むことで支柱に対して適度な傾斜角度で支持されることを特徴とするユニット式足場。
【発明の詳細な説明】
【技術分野】
【０００１】
本発明は、各種作業を行うためのユニット式足場および当該ユニット式足場の一構成部品である連結具に関するものである。
【背景技術】
【０００２】
地盤の不安定な場所や法面などで防災工事を施す場合には、先ず、建枠を組立てその上に作業床を敷いて足場を構築し、その足場に作業機械を設置して工事を行う必要がある。
従来、そのような建枠を構築する場合には、単管パイプを水平および垂直方向に配置し、レンチを用いてクランプにより締結して結合していた。
【０００３】
【特許文献１】特開平１０−８７０７号公報
【発明の開示】
【発明が解決しようとする課題】
【０００４】
上記したように、従来の方法では、現場にきて単管パイプを一から組み、しかもクランプを用いてパイプどうしを締結していたので、組立や解体の作業効率が悪かった。
【０００５】
本発明は、上記従来の問題点に着目して為されたものであり、建枠の組立及び解体を容易に行うことができるユニット式足場および当該ユニット式足場の一構成部品である連結具を提供することを目的とする。
【課題を解決するための手段】
【０００６】
本発明は上記課題を解決するためになされたものであり、請求項１の発明は、立設された複数の支柱と、前記支柱間に配設される枠状体と、前記支柱に前記枠状体を連結させる連結手段とで構築される建枠と、前記建枠により支持される作業床とを備えることを特徴とするユニット式足場である。
【０００７】
請求項２の発明は、請求項１に記載したユニット式足場において、連結手段は、支柱の外周に設けられた差込口と、前記枠状体に設けられた差込体によって構成されており、前記差込み体が前記差込み口に上側から差し込まれて前記枠状体と前記支柱とが連結されることを特徴とするユニット式足場である。
【０００８】
請求項３の発明は、請求項２に記載したユニット式足場において、差込口に差込まれた差込体が上方に抜けるのを防止するロック手段が設けられていることを特徴とするユニット式足場である。
【０００９】
請求項４の発明は、請求項３に記載したユニット式足場において、ロック手段は、差込まれた差込体から側方に突出して差込口に下側から当接する当接部材と、前記当接部材を前記差込体の側方から突出させたり没入させたりする当接部材駆動手段を有することを特徴とするユニット式足場である。
【００１０】
請求項５の発明は、請求項４に記載したユニット式足場において、当接部材駆動手段は、差込体に形成され、横断方向に延びたスライド移動路と、当接部材を支持しながら前記スライド移動路に沿ってスライド移動されるスライドピンと、前記当接部材側に取り付けられ、前記当接部材を介して前記スライドピンを前記スライド移動路に沿ってスライド移動させる操作部材を有し、前記操作部材によるスライド移動により前記スライドピンが差込口側端部に到達すると、前記当接部材が自重により回動して突出し、差込口に当接して係止されることを特徴とするユニット式足場である。
【００１１】
請求項６の発明は、請求項５に記載したユニット式足場において、スライド移動路は、差込口側に向かって上方に傾斜しながら延びた傾斜横路と、前記傾斜路の差込口側端部から下方に延びた縦路によって構成され、差込体が差込まれる時は、スライドピンが前記傾斜横路の奥に位置し、当接部材は差込口に摺接しながら回動して没入し、差し込まれた後は、前記スライドピンが前記縦路の下端に位置し、前記当接部材は自重により回転して突出することを特徴とするユニット式足場である。
【００１２】
請求項７の発明は、請求項３から６のいずれかに記載したユニット式足場を構成する連結手段のうち、枠状体に設けられる差込体とロック手段とで構成される枠状体側連結具である。
【００１３】
請求項８の発明は、請求項１から６のいずれかに記載したユニット式足場において、大引受が支柱に対して角度調整可能に支持されており、大引が前記大引受に嵌込むことで支柱に対して適度な傾斜角度で支持されることを特徴とするユニット式足場である。
【発明の効果】
【００１４】
本発明によれば、支柱どうしを連結するものとしてユニット化した枠状体を用いており、さらに、枠状体に連結具としての少なくとも一部の機能を担わせることで、建枠の組立及び解体を容易に行うことができる。
【発明を実施するための最良の形態】
【００１５】
本発明の第１の実施の形態に係るユニット式足場１を図面に従って説明する。
このユニット式足場１は、法面（Ｓ）の防災工事用に構築されたものであり、建枠３と、その建枠３により支持される作業床（パネル）５３とより主になる。
【００１６】
図２で詳細に示すように、符号５はパイプ材で構成された支柱を示し、この支柱５の外周には上下方向に所定の間隔をおいて、上下方向に開口した差込口７が形成されている。差込口７は、断面コの字状に屈曲された板材９の板厚面が支柱５の外周に固着されて形成されている。差込口７は４つ一組となって支柱５の外周を取り囲むように形成されている。
支柱５の下端部は、法面（Ｓ）に掘られた穴に挿入されたり、ジャッキ１１を介して法面（Ｓ）上に立てられたりして立設されている。
多数の支柱５が所定の間隔をおいて整列した状態で立設されており、立設場所に対応して長さが異なっている。
【００１７】
図２で詳細に示すように、符号１３は枠状体を示し、この枠状体１３は一対のパイプ状横材１５、１５と一対のパイプ状縦材１７、１７とが連結して矩形状に形成されている。横材１５、１５の両端部は縦材１７、１７より外方に少し突出している。枠状体１３は斜交する×字状の補強材１９が内嵌めされて補強されている。
枠状体１３の横幅寸法は、立設された支柱５の隣り合う支柱５どうしの間に収まるように設定されており、縦幅寸法は、立設された支柱５の外周の上下方向に隣り合う差込口７の間に収まるように設定されている。
一つの枠状体１３に対して、対応する４箇所の横材１５の突出部に枠状体側連結具２１が取り付けられている。
【００１８】
図３に詳細に示すように、符号２３は環状の取付部を示し、奥側の一端が閉塞され、手前側の他端が開口している。この取付部２３に枠状体１３の横材１５が挿入されて固定されている。
符号２５は差込体を示し、この差込体２５は板状材により形成され、断面コの字状をなしている。差込体２５は取付部２３に対して、図３に示すように取り付けられており、取付部２３の開口側（＝手前側）と下方に向かって開口している。この差込体２５の一対の対向片２７、２７の下部は、それぞれ取付部２３の開口側（＝手前側）から下端に向かって斜めに切断されており、板厚面が傾斜面になっている。一対の対向片２７、２７に囲まれた部分が凹部２８になっている。
【００１９】
符号２９はスライド移動路としての長穴を示し、この長穴２９は対向片２７、２７にそれぞれ対向して形成されている。長穴２９は側方の開口側に向かって若干上方に傾斜しながら延びた傾斜横穴３１と、傾斜横穴３１の上端部からの下方に延びた縦穴３３によって構成されている。傾斜横穴３１の奥３２、縦穴３３の下端は後述するスライドピン４５の外周形状に対応して丸みが付けられている。
【００２０】
符号３５は板状体により断面コの字状に形成された当接部材を示し、この当接部材３５は一対の対向部３７、３７が連結部４１により連結されてなる。各対向部３７は連結部４１より上方に突出しており、その突出した上端の板厚面が当接面３９になっている。この当接面３９は途中から傾斜しており、連結板４１側（＝手前側）に向かって下がった傾斜面になっている。
また、各対向部３７の側端縁乃至下端縁は角部にかけて内側に傾斜している。
【００２１】
符号４３は舌状の操作部材を示し、この操作部材４３は連結部４１の下端縁から外方に延び出ている。
符号４５は一対のスライドピンを示す。スライドピン４５、４５の一端はそれぞれ対向部３７、３７の外面の対向位置に取り付けられており、外方に向かって水平に突出している。
【００２２】
図４の矢印に示すように、当接部材３５の連結部４１が手前側を向き、操作部材４３が下側に位置する姿勢で、各スライドピン４５が各長穴２９に内側から外側に向かって挿通されることで係合されて、一体の連結具２１になっている。
この連結具２１が、図２の矢印に示すように、差込口７に上側から差込まれると連結具２１と差込口７との連結を介して、枠状体１３と支柱５とが連結される。
【００２３】
以下、連結具２１の差込口７への差込み及びロック作業について、図５から図１０に従って説明する。
先ず、図５に示すように、各スライドピン４５を傾斜横穴３１の奥３２で係合させる。奥３２は下がっているので、安定的にその位置に留まる。この状態では、当接部材３５の自重により側傾姿勢で安定しており、一対の対向部３７、３７は差込体２５の側方から突出している。
図５の矢印に示すように、差込体２５を差込口７に上側から差込むと、図６の矢印に示すように、当接部材３５が差込口７を形成する板材９の内面に摺接しながら時計回りに回動して差込体２５の凹部２８に大部分が没入する。
【００２４】
図７に示すように、差込体２５が下降していき、取付部２３の外周面に差込口７を形成する板材９の上端面が当接すると、差込み作業が終了する。この状態では、当接部材３５が凹部２８に没入している。
次に、図７の矢印に示すように、操作部材４３を指で下から押さえて斜め上方に引き出すことにより、各スライドピン４５を各傾斜横穴３１に沿ってスライド移動させる。各スライドピン４５は、差込口側端部である前端に到達すると、図８の矢印に示すように、各縦穴３３に沿って下方に落下する。そして、図９に示すように、各スライドピン４５が各縦穴３３の下端３４に到達して止まり、そこで安定的に係合される。
【００２５】
スライドピン４５、４５がその位置で係合されると、図１０の矢印に示すように、差込体２５が自重により反時計回りに回動して、一対の対向部３７、３７が差込体２５の側方から突出してくる。そして、当接面３９が差込口７を形成する板材９の下端に当接して係止する。これにより、ロック作業が終了する。このロック状態では、差込体２５が上方に抜けるのが防止される。
【００２６】
次に、ロックの解除作業について説明する。
操作部材４３を指で押さえて当接部材３５を時計回りに回動させて、当接部材３５を引っ込ませる。それから、操作部材４３を引き上げて各スライドピン４５を縦穴３３に沿ってスライド移動させる。さらに、各スライドピン４５が差込口側端部に到達すると、今度は当接部材３５を凹部２８に押して各スライドピン４５を傾斜横穴３１に沿ってスライド移動させる。各スライドピン４５は傾斜横穴３１の奥３２に到達すると、そこで止まって安定的に係合されて、ロックが解除される。
【００２７】
すなわち、各スライドピン４５が奥３２で係合しているときには、当接部材３５は差込口７の内面に当接して回動が規制されており、差込口７の側方からは突出していない。
従って、差込体２５を差込口７から上側に引き上げると、当接部材３５が差込口７の内面に摺接しながら一緒に引き上げられる。
【００２８】
上記のようにして、横材１５に取り付けられた連結具２１を差込口７に差込むことで差込み作業を行うことができ、続いて、操作部材４３を操作することによりロック作業を行うことができる。また、操作部材４３を操作することによりロック解除作業を行うことができ、続いて、連結具２１を引き上げることで取り外し作業を行うことができるので、すべての作業を容易に行うことができる。
【００２９】
図１１に示すように、支柱５どうしを枠状体１３で連結して建枠３を構築することができるので、現場にきて単管パイプを一から組む場合よりも著しく作業効率が良い。しかも片手だけで行うことができるので、両手が塞がることがなく安全性の面からも好ましい。
なお、符号４７は水平材を示し、この水平材４７の両端部にも、枠状体１３と同様に連結具２１が取り付けられている。法面（Ｓ）の形状に対応して、枠状体１３とこの水平材４７を併用することで支柱５どうしがバランス良く連結される。
【００３０】
さらに、支柱５の最上部には大引受を差込み、その大引受に大引としての下側角パイプ４９を嵌込み、その下側角パイプ４９に交差するように根太としての上側角パイプ５１を載せて固定する。下側角パイプ４９、上側角パイプ５１とも、長尺なものであり、一方向の大引や根太は1本の角パイプにより構成されている。次に、作業床パネル５３を上側角パイプ５１に載せて固定する。これにより作業床が構築される。
【００３１】
さらに、安全のために、作業床の周縁から手摺支柱５５が立設され、それに手摺５７が連結されている。手摺支柱５５には、支柱５と同様に差込口７が取り付けられており、手摺５７にも枠状体１３と同様に連結具２１が取り付けられている。従って、手摺５７は同様の作業で手摺支柱５５に連結されてロックされる。
【００３２】
第２の実施の形態に係る連結具６１について、図面に従って説明する。
図１２に示すように、この連結具６１は、枠状体１３側に取り付けられたものだけで構成されている。この連結具６１も、第１の実施の形態に係る枠状体側連結具２１と同様に、一つの枠状体１３に対して、対応する４箇所の横材１５の突出部に取り付けられている。
符号６３、６３は一体の把持アームを示し、この一対の把持アーム６３、６３は横材１５の端面に固定された取付部６４に対して夫々回動自在に取り付けられており、互いに離間する方向に開いたり、接近する方向に閉じたりする。
一対の把持アーム６３、６３は円弧状をなしており、閉じたときには、支柱５の外周面に実質的に一致した凹部を内側に形成する。但し、把持アーム６３、６３の先端面の間には、隙間が形成されている。
【００３３】
一方の把持アーム６３の先端には上下に対向する一対の対向板６５、６５が連続して形成されている。対向板６５、６５の外側の板厚面がナット掛止面６６、６６になっている。
符号６７はボルトを示し、このボルト６７の一端は他方の把持アーム６３の先端に水平方向に回動自在に軸支されている。ボルト６７の頭部側にはナット６９が取付けられている。
一対の把持アーム６３、６３が閉じた状態で、ボルト６７が時計回りに回動したときには、ボルト６７が対向板６５、６５の間に入り込み、他方の把持アーム６３の端面に当接してそれ以上の回動が規制される。ボルト６７が対向板６５、６５の間に入り込んだときには、隙間が閉じられる。
【００３４】
以下、連結具６１の支柱５への連結及びロック作業について、図１３に従って説明する。
ボルト６７を反時計回りに回動させ、一対の把持アーム６３、６３を予め開いておく。そして、一対の把持アーム６３、６３で支柱５を挟んだ後閉じる。次に、ボルト６７を時計回りに回動させて、他方の把持アーム６３の端面に当接させ、その後、ナット６９をナット掛止面６６、６６に対して締め付ける。これにより、支柱５に枠状体１３が連結される。
【００３５】
図１４に示すように、支柱５どうしを枠状体１３で連結して建枠３を構築することができるので、現場にきて単管パイプを一から組む場合よりも著しく作業効率が良い。また、この連結具６１を用いた場合には、ボルト６７を回動させたり、ナット６９を締め付けたりするときには、片方の手で枠状体１３を持つため、両手が塞がるが、短時間で済むので、安全に作業を進めることができる。
【００３６】
第３の実施の形態に係る大引受について、図面に従って説明する。
図１５に示すように、この大引受７１の取付部７３はボルト７５とナット７７により支柱５に取り付けられている。従って、取付部７３を適当に傾斜させた後にナット７７を締め付けることで大引受７１を適当な角度で傾斜させることができる。
この大引受７１に大引としての下側角パイプ４９を嵌込む。その後は、第1の実施の形態と同様に、その下側角パイプ４９に交差するように根太としての上側角パイプ５１を載せて固定する。次に、作業床パネル５３を上側角パイプ５１に載せて固定する。これにより傾斜した作業床が構築される。
【００３７】
作業機械（M）を水平な作業床までウインチなどで引張り上げる場合などに、上記のような傾斜した作業床５３があれば、作業機械（M）を作業床５３上を摺動させながら引き上げることができる。
また、上記のような傾斜した作業床５３があれば、段差のある複数の水平な作業床どうしを連続させることができ、作業者の移動などがスムーズになる。
【００３８】
以上、本発明の実施の形態について詳述してきたが、具体的構成は、この実施の形態に限られるものではなく、本発明の要旨を逸脱しない範囲における設計の変更などがあっても発明に含まれる。
例えば、連結するものは、枠状体１３や水平材４７だけでなく、斜面ブラケットでもよい。建枠の設計内容に応じて適宜選択できる。また、枠状体１３などの連結間隔も適宜変更できる。
さらに、第1の実施の形態では、スライド移動路として長穴を利用していたが、長溝でもよい。
さらに、第３の実施の形態では、ボルト・ナットにより大引受の傾斜角度が固定されるが、ボルト・ナットの代わりに丸棒などを挿通させることで大引受を支柱に対してある程度の範囲で回動自在な状態にしておくこともできる。そのようにすることで、実際の大引の設置角度に高精度に追従できる。
【産業上の利用可能性】
【００３９】
本発明によれば、足場を作業効率良く構築できるので、経済性もよい。
【図面の簡単な説明】
【００４０】
【図１】本発明の第1の実施の形態に係るユニット式足場の側面図である。
【図２】図１のユニット式足場を構成する支柱と枠状体の斜視図である。
【図３】図２の連結具の差込口への差込み方法の説明図である。
【図４】図３の連結具の分解斜視図である。
【図５】図２の連結具の差込口への差込み作業の説明図である。
【図６】図５に続く、連結具の差込口への差込み作業の説明図である。
【図７】図６に続く、ロック作業の説明図である。
【図８】図７に続く、ロック作業の説明図である。
【図９】図８に続く、ロック作業の説明図である。
【図１０】図９に続く、ロック作業の説明図である。
【図１１】第１の実施の形態に係る建枠の一部拡大斜視図である。
【図１２】第２の実施の形態に係る支柱と枠状体の斜視図である。
【図１３】図１２の支柱と枠状体の連結状態の説明図である。
【図１４】第２の実施の形態に係る建枠の一部拡大斜視図である。
【図１５】第３の実施の形態に係る大引受の拡大斜視図である。
【図１６】図１５の大引受を利用したユニット式足場の拡大側面図である。
【符号の説明】
【００４１】
１…ユニット式足場
３…建枠                              ５…支柱
７…差込口                            ９…板材
１１…ジャッキ                        １３…枠状体
１５…横材                            １７…縦材
１９…×字状補強材                    
２１…枠状体側連結具（第1の実施の形態）
２３…取付部                          ２５…差込体
２７…対向片                          ２８…凹部
２９…長穴                            ３１…傾斜横穴
３２…奥                              ３３…縦穴
３４…下端                            ３５…当接部材
３７…対向部                          ３９…当接面
４１…連結部                          ４３…操作部材
４５…スライドピン                    ４７…水平材
４９…下側角パイプ                    ５１…上側角パイプ
５３…作業床パネル                    ５５…手摺支柱
５７…手摺
６１…連結具（第２の実施の形態）      ６３…把持アーム
６４…取付部                          ６５…対向板
６６…ナット掛止面                    ６７…ボルト
６９…ナット
７１…大引受（第３の実施の形態）      ７３…取付部
７５…ボルト                          ７７…ネジ
Ｓ…法面                              Ｍ…作業機械
【図１】
2009299307.tif 000003
【図２】
2009299307.tif 000004
【図３】
2009299307.tif 000005
【図４】
2009299307.tif 000006
【図５】
2009299307.tif 000007
【図６】
2009299307.tif 000008
【図７】
2009299307.tif 000009
【図８】
2009299307.tif 000010
【図９】
2009299307.tif 000011
【図１０】
2009299307.tif 000012
【図１１】
2009299307.tif 000013
【図１２】
2009299307.tif 000014
【図１３】
2009299307.tif 000015
【図１４】
2009299307.tif 000016
【図１５】
2009299307.tif 000017
【図１６】
2009299307.tif 000018
【手続補正書】
【提出日】平成20年6月17日(2008.6.17)
【手続補正１】
【補正対象書類名】図面
【補正対象項目名】図３
【補正方法】変更
【補正の内容】
【図３】
2009299307.tif 000019
【手続補正２】
【補正対象書類名】図面
【補正対象項目名】図４
【補正方法】変更
【補正の内容】
【図４】
2009299307.tif 000020